(57)【要約】【課題】人体の脈派を得るための測定をより手軽にできるパソコン操作用のマウスを提供することである。【解決手段】マウス本体の前端部付近の上面の部分の左右各々にクリック部２、３を有するパソコン操作用のマウス１であり、両クリック部２、３のいずれか一方をその上に置かれる指先Ｐから人体の脈波を測定する計測位置部５とし、この計測位置部５となるクリック部２上に置かれる指先Ｐ表面に対し同クリック部２を通過させて光を照射する脈派測定用発光部９と、指先P表面で反射し、もしくは指先表面を透過した脈派測定用発光部９からの光を受光する受光部１０とを備え、受光部１０における受光状態を検知して脈派が測定されるようになしたものであって、計測位置部５となるクリック部２の上方周辺にクリック部２上に置かれる指先Ｐを覆って脈派測定用発光部９から照射される光が漏出するのを防止するカバー部６を設ける。【選択図】図２
2013059372.tif 000002
【特許請求の範囲】
【請求項１】
マウス本体の前端部付近の上面の部分の左右各々にクリック部を有するパソコン操作用のマウスであり、
前記両クリック部のいずれか一方をその上に置かれる指先から人体の脈波を測定する計測位置部とし、この計測位置部となるクリック部上に置かれる指先表面に対し同クリック部を通過させて光を照射する発光部と、前記指先表面で反射し、もしくは指先表面を透過した前記発光部からの光を受光する受光部とを備え、前記受光部における受光状態を検知して前記脈派が測定されるようになしたものであって、
前記計測位置部となる前記クリック部の上方周辺に前記クリック部上に置かれる指先を覆って前記発光部から照射される光が漏出するのを防止するカバー部を設けてなる
ことを特徴とするパソコン操作用のマウス。
【請求項２】
前記計測位置部となるクリック部上に置かれる前記指先に圧力を加える押圧部を前記カバー部の内側に設けた
ことを特徴とする請求項１記載のパソコン操作用のマウス。
【請求項３】
前記押圧部を前記カバー部の内側上方に設けて、この押圧部よる圧力が下方に向けて作用するようになした
ことを特徴とする請求項２記載のパソコン操作用のマウス。
【請求項４】
前記マウス本体の前端部付近の上面部分の左側に配置されるクリック部を前記計測位置部となるクリック部とした
ことを特徴とする請求項１から３のいずれかに記載のパソコン操作用のマウス。
【請求項５】
前記発光部から照射された光及び前記指先表面で反射した光が透過される透光用窓を前記計測位置部となるクリック部に設けた
ことを特徴とする請求項１から４のいずれかに記載のパソコン操作用のマウス。
【請求項６】
前記計測位置部となるクリック部を透光性材料で形成して、前記発光部から照射された光及び前記指先表面で反射した光が透過されるようになした
ことを特徴する請求項１から４のいずれかに記載のパソコン操作用のマウス。
【請求項７】
前記発光部から前記計測位置部への光を遮るシャッター部を有する
ことを特徴とする請求項１から６のいずれかに記載のパソコン操作用のマウス。
【請求項８】
前記計測位置部に指先が存在するか、存在しないかを検知する指先検知部と、
前記指先検知部が、指先の存在を検知しているときのみ測定するように制御する第二制御部と、のそれぞれを前記マウス本体の内部に有する
ことを特徴とする請求項１から７のいずれかに記載のパソコン操作用のマウス。
【請求項９】
前記マウス本体は、光学式マウスを構成するものであり、
前記マウス本体の内部に、前記発光部からの光の向きを、前記マウス本体の移動方向及び移動量を計測するために発光する方向である底面方向と前記計測位置部方向とを相互に切替えることができる切換部を、マウス本体内部に有する
ことを特徴とする請求項１から８のいずれかに記載のパソコン操作用のマウス。
【請求項１０】
前記マウス本体は、光学式マウスを構成するものであり、
前記マウス本体の移動方向及び移動量を計測する光と人体の脈派を計測する光とを前記発光部からの光が兼用するように、前記発光部からの光を分割する光分割部を有する
ことを特徴とする請求項１から８のいずれかに記載のパソコン操作用のマウス。
【発明の詳細な説明】
【技術分野】
【０００１】
本願発明は、パソコン操作用のマウスに関するものである。
【背景技術】
【０００２】
従来から、特許文献１に示されるようなパソコン操作用のマウスが知られている。図９と図１０とに示されるように、このマウス１０１には一対のクリックボタン１０２、１０３が設けられている。そして、ユーザの指先１０Ｐを挿入可能な挿入用凹部１０６が、マウス１０１の後方に形成されている。この挿入用凹部１０６の奥の部分には、挿入された指先１０Ｐに近赤外光を斜め方向から照射する近赤外光源１０９が配置されている。挿入用凹部１０６における近赤外光源１０９よりも凹部開口側には脈波検出部１１０が配置されている。脈波検出部１１０は、受光状態に基づき、指先末梢血管のヘモグロビンの移動を観測して脈波を計測するものである。
【先行技術文献】
【特許文献】
【０００３】
【特許文献１】特開２００４−３４４３７５号公報
【発明の概要】
【発明が解決しようとする課題】
【０００４】
しかしながら、特許文献１に示されるマウス１０１では、マウス１０１の後方に挿入用凹部１０６が設けられているため、測定の際にはユーザは指先Ｐをマウス１０１の表側面の後方に動かさなければならず、面倒であるという問題があった。
【０００５】
本願発明は上記問題に鑑みてなされたもので、その課題は、人体の脈派を得るための測定をより手軽にできるパソコン操作用のマウスを提供することである。
【課題を解決するための手段】
【０００６】
上記課題を解決するために、本願発明のパソコン操作用のマウスは、マウス本体の前端部付近の上面の部分の左右各々にクリック部を有するパソコン操作用のマウスであり、前記両クリック部のいずれか一方をその上に置かれる指先から人体の脈波を測定する計測位置部とし、この計測位置部となるクリック部上に置かれる指先表面に対し同クリック部を通過させて光を照射する発光部と、前記指先表面で反射し、もしくは指先を透過した前記発光部からの光を受光する受光部とを備え、前記受光部における受光状態を検知して前記脈派が測定されるようになしたものであって、前記計測位置部となる前記クリック部の上方周辺に前記クリック部上に置かれる指先を覆って前記発光部から照射される光が漏出するのを防止するカバー部を設けてなるものである。
【０００７】
又、前記計測位置部となるクリック部上に置かれる前記指先に圧力を加える押圧部を前記カバー部の内側に設けていることが好ましい。
【０００８】
又、前記押圧部を前記カバー部の内側上方に設けて、この押圧部よる圧力が下方に向けて作用するようになしていることが好ましい。
【０００９】
又、前記マウス本体の前端部付近の上面部分の左側に配置されるクリック部を前記計測位置部となるクリック部としていることが好ましい。
【００１０】
又、前記発光部から照射された光及び前記指先表面で反射した光が透過される透光用窓を前記計測位置部となるクリック部に設けていることが好ましい。
【００１１】
又、前記計測位置部となるクリック部を透光性材料で形成して、前記発光部から照射された光及び前記指先表面で反射した光が透過されるようになしていることが好ましい。
【００１２】
又、前記発光部から前記計測位置部への光を遮るシャッター部を有していることが好ましい。
【００１３】
又、前記計測位置部に指先が存在するか、存在しないかを検知する指先検知部と、前記指先検知部が、指先の存在を検知しているときのみ測定するように制御する第二制御部と、のそれぞれを前記マウス本体の内部に有していることが好ましい。
【００１４】
又、前記マウス本体は、光学式マウスを構成するものであり、前記マウス本体の内部に、前記発光部からの光の向きを、前記マウス本体の移動方向及び移動量を計測するために発光する方向である底面方向と、前記計測位置部方向とに相互に切替えることができる切換部を有していることが好ましい。
【００１５】
又、前記マウス本体は、光学式マウスを構成するものであり、前記マウス本体の移動方向及び移動量を計測する光と人体の脈派を計測する光とを前記発光部からの光が兼用するように、前記発光部からの光を分割する光分割部を前記マウス本体の内部に有していることが好ましい。
【発明の効果】
【００１６】
本願発明のパソコン操作用のマウスにおいては、クリック部を計測位置部としているので、測定の際に指先を動かす必要はない。したがって、人体の脈派を得るための測定をより手軽にできる。
【図面の簡単な説明】
【００１７】
【図１】本願発明の第１の実施形態に係るパソコン操作用のマウスの斜視図
【図２】本願発明の第１の実施形態に係るパソコン操作用のマウスの概略断面図
【図３】本願発明の第２の実施形態に係るパソコン操作用のマウスの概略断面図
【図４】本願発明の第３の実施形態に係るパソコン操作用のマウスの概略断面図
【図５】本願発明の第４の実施形態に係るパソコン操作用のマウスの概略断面図
【図６】本願発明の第５の実施形態に係るパソコン操作用のマウスの上面図
【図７】本願発明の第５の実施形態に係るパソコン操作用のマウスの概略断面図
【図８】本願発明の第６の実施形態に係るパソコン操作用のマウスの概略断面図
【図９】特許文献１で示されているパソコン操作用のマウスの概略構成図
【図１０】特許文献１で示されているパソコン操作用のマウスの測定位置部及びカバー部近辺の概略構成図
【発明を実施するための形態】
【００１８】
１．第１の実施形態
図１と図２とに基づいて、パソコン操作用のマウス１に関する本願発明の第１の実施形態について説明する。図１は、本願発明の第１の実施形態に係るパソコン操作用のマウス１の斜視図である。図２は、本願発明の第１の実施形態に係るパソコン操作用のマウス１の概略断面図である。
【００１９】
本実施形態におけるパソコン操作用のマウス１は、マウス本体の前端部付近の上面の部分の左右各々にクリック部２、３を有するパソコン操作用のマウス１であり、前記両クリック部２、３のいずれか一方をその上に置かれる指先Ｐから人体の脈波を測定する計測位置部５とし、この計測位置部５となるクリック部２上に置かれる指先Ｐ表面に対し同クリック部２を通過させて光を照射する脈派測定用発光部９と、前記指先P表面で反射し、もしくは指先P表面を透過した前記脈派測定用発光部９からの光を受光する受光部１０とを備え、この脈派測定用発光部９からの光が前記指先Ｐ表面で反射した光を受光する受光部１０と、を前記マウス本体内に備え、前記受光部１０における受光状態を検知して前記脈派が測定されるようになしたものであって、前記計測位置部５となる前記クリック部２の上方周辺に前記クリック部２上に置かれる指先Ｐを覆って前記発光部９から照射される光が漏出するのを防止するカバー部６を設けてなるものである。また、前記マウス本体の前端部付近の上面部分の左側に配置されるクリック部２を前記計測位置部５となるクリック部２としたものである。前記脈派測定用発光部９から照射された光及び前記指先Ｐ表面で反射した光が透過される透光用窓５１を前記計測位置部５となるクリック部２に設けたものである。ここでマウス本体とは、パソコン操作用のマウス１の筐体のことをいう。
【００２０】
［パソコン操作用のマウス１の構成］
本実施形態のパソコン操作用のマウス１の構成を図１と図２とに基づいて説明する。
【００２１】
図１に示すように、パソコン操作用のマウス１は、その表側面にクリック部である左クリックボタン２と右クリックボタン３とが設けられており、さらには、左クリックボタン２と右クリックボタン３との間にスクロールする中央クリックボタン４が設けられている。左クリックボタン２には光を通すための透光用窓５１が設けられている。この透光用窓５１で囲まれる範囲が、計測位置部５となっている。
【００２２】
そして、この計測位置部５を覆うように、カバー部６がパソコン操作用のマウス１に設けられている。カバー部６は、前壁部６１と左壁部６２と天上壁部６３とを有しており、後側と右側とが開口されているものである。
【００２３】
カバー部６は、光を通さない材質であれば何でもよい。本実施形態においては、汎用プラスチック製のものを用いている。
【００２４】
図２に示すように、マウス本体の内部には、移動測定用発光部７と、イメージセンサ８とが設けられている。移動測定用発光部７はＬＥＤである。移動測定用発光部７は、マウス本体の底面に向かって発光するように設けられている。移動測定用発光部７とイメージセンサ８とは、パソコン操作用のマウス１の移動方向と移動量とを測るために用いられるものである。さらに、マウス本体の内部には、脈派測定用発光部９と受光部１０とが設けられている。脈派測定用発光部９はＬＥＤである。脈派測定用発光部９は、計測位置部５に向かって発光するように設けられている。より具体的には、カバー部６の挿入側である手前方向から奥方向に向かって発光するように、脈派測定用発光部９は設けられている。このように、カバー部６の奥方向に向かって発光するように脈派測定用発光部９が設けられることで、脈派測定用発光部９からの光がカバー部６の内部からより漏れにくくなる。
【００２５】
受光部１０は、マウス本体の内部であって、計測位置部５に置かれた指先Ｐで反射された光を受光する位置に設けられている。受光部１０は、フォトダイオードである。なお、本実施形態において、計測位置部５は、左クリックボタン２に設けられているので、指先Pは第二指の指先である。
【００２６】
なお、左クリックボタン２の表面全体を透光性材料で形成して、脈派測定用発光部９から発光された光及び指先Ｐ表面で反射した光が透過されるようになしてもかまわない。
【００２７】
なお、受光部１０を、カバー部６の内側であって、脈派測定用発光部９からの光の延長上に設ければ、指先P表面を透過した光を測定することができる。
【００２８】
なお、本実施形態におけるマウス本体は光学式マウスではあるが、パソコン操作用のマウス１であれば、何でもよい。
【００２９】
［パソコン操作用のマウス１の作用効果］
このように、左クリックボタン２を計測位置部５としているので、人体の脈派の計測の際には、指先Ｐを左クリックボタン２上から移動する必要がなく、手軽に人体の脈派の計測ができる。
【００３０】
２．第２の実施形態
図３に基づいて、パソコン操作用のマウス１に関する本願発明の第２の実施形態について説明する。図３は、本願発明の第２の実施形態に係るパソコン操作用のマウス１の概略断面図である。
【００３１】
本実施形態におけるパソコン操作用のマウス１は、計測位置部５となるクリック部２上に置かれる指先Ｐに圧力を加える押圧部１１をカバー部６の内側に設けたものである。より具体的には、押圧部１１をカバー部６の内側上方に設けて、この押圧部１１よる圧力が下方に向けて作用するようになしたものである。他の部分は、第一の実施形態におけるパソコン操作用のマウス１と同じである。
【００３２】
［パソコン操作用のマウス１の構成］
本実施形態におけるパソコン操作用のマウス１は、カバー部６の前壁部６１にヒンジ１２が設けられている。このヒンジ１２により、カバー部６の内側に押圧部１１が設けられる。さらには、カバー部６の天上壁部６３の内側に弾性体であるコイルバネ１３が設けられている。コイルバネ１３は、カバー部６と押圧部１１との間に介在するように設けられている。
【００３３】
本実施形態において、押圧部１１として、クッション性のあるものを用いる。なお、カバー部６の内面に押圧部１１を直接配置してもかまわない。また、ヒンジ部１２を用いず弾性体１３だけでもよいし、弾性体１３を用いずヒンジ部１２だけでもよい。
【００３４】
［パソコン操作用のマウス１の作用効果］
本実施形態におけるパソコン操作用のマウス１では、カバー部６の内面に押圧部１１が配置されているので、人体の脈派を得るための指先Ｐを適度に押圧でき、その結果、より精度が良い測定結果を得ることができる。さらに、押圧部１１が、カバー部６の内面にコイルバネ１３を介して設けられているので、より適度に押圧できる。さらに、押圧部１１が、カバー部６の内面にヒンジ１２を介して設けられているので、より適度に押圧できる。
【００３５】
３．第３の実施形態
図４に基づいて、パソコン操作用のマウス１に関する本願発明の第３の実施形態について説明する。図４は、本願発明の第３の実施形態に係るパソコン操作用のマウス１の概略断面図である。
【００３６】
本実施形態におけるパソコン操作用のマウス１は、脈派測定用発光部９から計測位置部５への光を遮るシャッター部１４を有するものである。他の部分は、第一の実施形態におけるパソコン操作用のマウス１と同じである。
【００３７】
［パソコン操作用のマウス１の構成］
本実施形態におけるパソコン操作用のマウス１は、測定位置部５の上に脈派測定用発光部９から計測位置部５への光を遮るシャッター部１４を有している。シャッター部１４が閉じられているときには、マウス本体１とシャッター部１４とが略面一になるように、マウス本体内にシャッター部１４が設けられている。シャッター部１４の開閉は、突起部１５をつまみ、突起部１５を開閉方向に手動で移動させることによって行われるようになしている。より詳細に説明すると、突起部１５が開方向に移動されるとシャッター部１４が折りたたまれるようになしている。なお、シャッター部１４の開閉を行う手段は特に限定されない。
【００３８】
［パソコン操作用のマウス１の作用効果］
本実施形態におけるパソコン操作用のマウス１では、脈派測定用発光部９からの光がマウス本体の内部から外部に出ないように、シャッター部１５が脈派測定用発光部９からの光を遮るので、眩しさをより低減することができる。
４．第４の実施形態
図５に基づいて、パソコン操作用のマウス１に関する本願発明の第４実施形態について説明する。図５は、本願発明の第４の実施形態に係るパソコン操作用のマウス１の概略断面図である。
【００３９】
本実施形態におけるパソコン操作用のマウス１は、計測位置部５に指先である指先Ｐが存在するか、存在しないかを検知する指先検知部１６と、指先検知部１６が指先Ｐの存在を検知しているときのみ測定するように制御する第二制御部１７と、のそれぞれをマウス本体の内部に有する。他の部分は、第一の実施形態におけるパソコン操作用のマウス１と同じである。
【００４０】
［パソコン操作用のマウス１の構成］
本実施形態におけるパソコン操作用のマウス１は、マウス本体の内部側で測定位置部５と略密接するように指先検知部１６が設けられている。そして、第二制御部１７と指先検知部１６とが電気的に接続されている。さらには、第二制御部１７と脈派測定用発光部９とも電気的に接続されている。第二制御部１７は、指先検知部１６が指先Pを検知しているときのみ、脈派測定用発光部９が発光するように制御するものである。つまり、指先検知部１６が指先Pを検知していないときには、脈派測定用発光部９が発光しないように制御するものである。
【００４１】
本実施形態において、指先検知部１６は指先Pの温度を検知するものである。なお、指先Pの温度を検知するものに限らず、指先の存在を検知することができるものであれば、指先検知部１６は何でもよい。
【００４２】
［パソコン操作用のマウス１の作用効果］
本実施形態におけるパソコン操作用のマウス１では、指先検知部１６が指先Pの存在を検知しているときのみ脈派測定用発光部９が発光するので、指先検知部１６が指先Pの存在を検知しているときのみ人体の脈派を測定することができる。したがって、脈派測定用発光部９が無用に発光することはないので、省電力化につながる。
５．第５の実施形態
図６と図７とに基づいて、パソコン操作用のマウス１に関する本願発明の第５実施形態について説明する。図６は、本願発明の第５の実施形態に係るパソコン操作用のマウス１の上面図である。図７は、本願発明の第５の実施形態に係るパソコン操作用のマウス１の概略断面図である。
【００４３】
本実施形態におけるパソコン操作用のマウス１は、マウス本体は光学式マウスを構成するものであり、マウス本体の内部に、脈派測定用発光部９からの光の向きを、マウス本体の移動方向及び移動量を計測するために発光する方向である底面方向と、計測位置部５方向とに相互に切替えることができる切換部１８を有する。本実施形態におけるパソコン操作用のマウス１では、移動測定用発光部７は設けられていない。脈派測定用発光部９が、移動測定用発光部７の役割も果たすからである。他の部分は、第一の実施形態におけるパソコン操作用のマウス１と同じである。
【００４４】
［パソコン操作用のマウス１の構成］
本実施形態におけるパソコン操作用のマウス１は、切換部１８を構成する内部回転盤１８１と外部回転盤１８２と連結軸１８３とを有する。内部回転盤１８１はマウス本体の内部に設けられている。また、外部回転盤１８２はマウス本体の外部の右側端部に設けられている。そして、内部回転盤１８１と外部回転盤１８２とは、回転可能な連結軸１８３を介して連結されている。そして、この連結軸１８３には、脈派測定用発光部９が取り付けられている。したがって、外部回転盤１８２を回すことで連結軸１８３が回転し、連結軸１８３の回転により脈派測定用発光部９の照射方向を切替えることができる。さらには、脈派測定用発光部９の発光方向を制限するための上側ストッパ１９と下側ストッパ２０とが、マウス本体内部に設けられている。
【００４５】
上側ストッパ１９は、脈派測定用発光部９が測定位置部５を照射する範囲まで脈派測定用発光部９が回転できるように設けられている。一方、下側ストッパ２０は、マウス本体の底面方向まで脈派測定用発光部９が回転できるように設けられている。なお、上側ストッパ１９と下側ストッパ２０とは、それぞれ設けなくても構わない。
【００４６】
［パソコン操作用のマウス１の作用効果］
本実施形態におけるパソコン操作用のマウス１では、外部回転盤１８２を回転させることで脈派測定用発光部９の発光方向を、マウス本体の底面方向と計測位置部５方向とに相互に切替えることができる。したがって、マウス本体の移動方向及び移動量を計測するために必要な発光機能と、指先Ｐの脈派の計測をするために必要な発光機能とを、脈派測定用発光部９で兼用することができる。そのため、移動測定用発光部７を設ける必要が無く、部品点数が減る。
【００４７】
さらには、上側ストッパ１９と下側ストッパ２０とを設けたことで、脈派測定用発光部９の発光方向を制限することができ、脈派測定用発光部９の発光方向を容易に調整できる。
６．第６の実施形態
図８に基づいて、パソコン操作用のマウス１に関する本願発明の第６実施形態について説明する。図８は、本願発明の第６の実施形態に係るパソコン操作用のマウス１の概略断面図である。
【００４８】
本実施形態におけるパソコン操作用のマウス１は、マウス本体は光学式マウスを構成するものであり、マウス本体の移動方向及び移動量を計測する光と人体の脈派を計測する光とを脈派測定用発光部９からの光で兼用するように、脈派測定用発光部９からの光を分割する光分割部２１を有する。本実施形態におけるパソコン操作用のマウス１では、移動測定用発光部７は設けられていない。脈派測定用発光部９が、移動測定用発光部７の役割も果たすからである。他の部分は、第一の実施形態におけるパソコン操作用のマウス１と同じである。
【００４９】
［パソコン操作用のマウス１の構成］
本実施形態におけるパソコン操作用のマウス１は、マウス本体の内部であって、脈派測定用発光部９からの発光方向に光分割部２１を有する。本実施形態において、光分割部２１はハーフミラー（ｓｅｍｉｔｒａｎｓｐａｒｅｎｔ  ｍｉｒｒｏｒ）である。光分割部２１において反射された光はマウス本体の底面方向を発光するように、光分割部２１は配置されている。さらに、反射板２２がマウス本体の内部に設けられている。この反射板２２によって光分割部２１を透過した脈派測定用発光部９からの光は反射される。そして、この反射された光が計測位置部５方向を発光するように、反射板２２は設けられている。
【００５０】
［パソコン操作用のマウス１の作用効果］
本実施形態におけるパソコン操作用のマウス１では、光分割部２１が脈派測定用発光部９からの光を分割することで、マウス本体の底面方向と計測位置部５方向とを発光することができる。したがって、マウス本体の移動方向及び移動量を計測するために必要な発光機能と、指先Ｐの脈派の計測をするために必要な発光機能とを、脈派測定用発光部９で兼用することができる。そのため、移動測定用発光部７を設ける必要が無く、部品点数が減る。さらには、マウス本体の底面方向と計測位置部５方向とを同時に発光することができるので、パソコン用のマウス１として使用しながら、指先Ｐの脈派の測定を行うこともできる。
【符号の説明】
【００５１】
１  パソコン操作用のマウス
２  左クリックボタン
５  計測位置部
６  カバー部
９  脈派測定用発光部
１０  受光部
１１  押圧部
１４  制御部
１５  シャッター部
１６  指先検知部
１７  第二制御部
１８  切換部
２１  光分割部
【図１】
2013059372.tif 000003
【図２】
2013059372.tif 000004
【図３】
2013059372.tif 000005
【図４】
2013059372.tif 000006
【図５】
2013059372.tif 000007
【図６】
2013059372.tif 000008
【図７】
2013059372.tif 000009
【図８】
2013059372.tif 000010
【図９】
2013059372.tif 000011
【図１０】
2013059372.tif 000012